(57)【特許請求の範囲】
【請求項１】
コンピュータに、
ネットワーク内の移動局から通知を受信する段階、
前記移動局に対して構成バージョン番号を提供する段階、
前記構成バージョン番号と、基地局が操作するキャリア周波数に対応付けられている少なくとも１つのキャリアインデックスを含む基地局マルチキャリア構成情報とを含むマルチキャリア広告を送る段階
を実行させるためのプログラム。
【請求項２】
前記コンピュータに、
ブロードキャストフラグがイネーブルされている場合に、前記ネットワーク内の全てのキャリアインデックスについての構成情報を含むネットワークマルチキャリア構成情報を有する前記マルチキャリア広告を送る段階をさらに実行させるための請求項１に記載のプログラム。
【請求項３】
ネットワークマルチキャリア構成情報ブロードキャストを送る段階は、前記マルチキャリア広告を送った後に経過した期間がしきい値を越える場合には、前記ブロードキャストフラグをイネーブルする段階を含む請求項２に記載のプログラム。
【請求項４】
前記移動局に対して前記構成バージョン番号を提供する段階は、事前プロビジョニング処理、オーバー・ザ・エア・プロビジョニング処理、および、ユニキャスト処理のうちの１以上によって前記移動局に対して前記構成バージョン番号を提供する段階を含む請求項１に記載のプログラム。
【請求項５】
前記コンピュータに、
前記基地局が操作する、グローバルネットワーク構成情報によって定義されている前記少なくとも１つのキャリアインデックスを含む近隣基地局広告を送る段階をさらに実行させるための請求項１に記載のプログラム。
【請求項６】
前記少なくとも１つのキャリアインデックスは、前記少なくとも１つのキャリアインデックスがグローバルネットワーク構成情報で定義されていることを含む請求項１に記載のプログラム。
【請求項７】
前記ネットワークマルチキャリア構成情報ブロードキャストはさらに、各キャリアインデックスに対応付けられているキャリア周波数の１以上のキャリア固有パラメータを含む請求項２に記載のプログラム。
【請求項８】
前記ネットワークマルチキャリア構成情報ブロードキャストはさらに、帯域幅およびデュプレックスモードのうち１以上を含む請求項２に記載のプログラム。
【請求項９】
前記基地局マルチキャリア構成情報ブロードキャストはさらに、プリアンブルインデックスおよびメディアアクセス制御（ＭＡＣ）プロトコルのうち１以上を含む請求項１に記載のプログラム。
【請求項１０】
前記基地局マルチキャリア構成情報はさらに、基地局識別情報を含む請求項１に記載のプログラム。
【請求項１１】
ネットワークを介した移動局への通信のために基地局によって複数のマルチキャリア広告を生成する段階と、
少なくとも１つのキャリアインデックスを含む基地局マルチキャリア構成情報を含む第１のマルチキャリア広告を送る段階と、
ブロードキャストフラグがイネーブルされている場合に、前記ネットワーク内の全てのキャリアインデックスについての構成情報を含ネットワークマルチキャリア構成情報および前記基地局広告を有する第２のマルチキャリア広告を送る段階と
を備える方法。
【請求項１２】
前記少なくとも１つのキャリアインデックスは、前記基地局が利用しているキャリア周波数に対応付けられている前記少なくとも１つのキャリアインデックスを含む請求項１１に記載の方法。
【請求項１３】
前記ブロードキャストフラグは、前記第１のマルチキャリア広告を送った後の期間がしきい値を超える場合に、イネーブルされる請求項１１に記載の方法。
【請求項１４】
事前プロビジョニング処理、オーバー・ザ・エア・プロビジョニング処理、および、ユニキャスト処理のうち１以上を用いて、マルチキャリア構成情報および構成バージョン番号を移動局に対して提供する段階をさらに備える請求項１１に記載の方法。
【請求項１５】
前記基地局がサポートしている、グローバルネットワーク構成情報によって定義されている前記少なくとも１つのキャリアインデックスを含む近隣基地局広告を送る段階をさらに備える請求項１１に記載の方法。
【請求項１６】
ネットワーク内の移動局から通知を受信して、操作するキャリア周波数に対応付けられている、グローバルネットワーク構成情報によって定義されている少なくとも１つのキャリアインデックスを持つ基地局マルチキャリア構成情報を含むマルチキャリア広告を送り、
さらに、ブロードキャストフラグがイネーブルされている場合に、ネットワークマルチキャリア構成情報を有する前記マルチキャリア広告を送る基地局を備えるシステム。
【請求項１７】
前記ネットワークマルチキャリア構成情報は、前記ネットワーク内の全てのキャリアインデックスについての構成情報を含む請求項１６に記載のシステム。
【請求項１８】
前記基地局がネットワークマルチキャリア構成情報ブロードキャストを送ることは、前記マルチキャリア広告を送った後の期間がしきい値を越える場合に前記基地局が前記ブロードキャストフラグをイネーブルすることを含む請求項１７に記載のシステム。
【請求項１９】
前記基地局はさらに、事前プロビジョニング処理、オーバー・ザ・エア・プロビジョニング処理、および、ユニキャスト処理のうち１以上を用いて、マルチキャリア構成情報および構成バージョン番号を移動局に対して提供する請求項１６に記載のシステム。
【請求項２０】
前記基地局は、デジタルディスプレイに接続されている入出力デバイスを有する請求項１６に記載のシステム。
【発明の詳細な説明】
【背景技術】
【０００１】
多くの場合、それぞれの移動局の動作周波数が１つのみであるので、基地局がサポートする周波数キャリアは１つのみである。例えば、基地局は、２．４ＧＨｚ、２．５ＧＨｚまたは４００ＭＨｚといった周波数をサポートし得る。基地局は、事前プロビジョニング、オーバー・ザ・エア（ＯＴＡ）プロビジョニング、または、ユニキャスト処理に応答して、関連する全てのキャリア周波数情報を含むメッセージを頻繁にブロードキャストすることによって、単一周波数をサポートする。このようなメッセージは通常、長いメッセージで、詳細な確認情報を伝達できるように構成されている。
【０００２】
移動局は複数の周波数で動作するように構成されているので、基地局も同様に複数の周波数で動作し得る。しかし、基地局がサポートする複数のさまざまなキャリア周波数のそれぞれで詳細な構成情報をブロードキャストし続けると、ブロードキャストの帯域幅が大きくなり過ぎて利用する空間が多くなり過ぎる。このため、マルチキャリア無線ネットワークにおいてシステム情報のブロードキャストを効率的に行う方法が強く求められている。
【図面の簡単な説明】
【０００３】
【図１】一実施形態に係るマルチキャリア無線ネットワーク通信システムの一例を示すブロック図である。
【０００４】
【図２】一実施形態に係るマルチキャリア広告の一例を示す図である。
【０００５】
【図３】一実施形態に係るネットワークマルチキャリア構成情報を含むマルチキャリア広告の一例を示す図である。
【０００６】
【図４】一実施形態に係る近隣基地局広告の一例を示す図である。
【０００７】
【図５】一実施形態に係る論理図の一例を示す図である。
【０００８】
【図６】一実施形態に係るシステムの一例を示す図である。
【発明を実施するための形態】
【０００９】
実施形態は概して、ブロードキャストの柔軟性を維持すると共に利用する帯域幅を縮小しつつ、複数のキャリア周波数を持つ基地局等の固定ネットワークアクセスポイントがさまざまな周波数を移動局にブロードキャストできるようにする方法に関する。さまざまな実施形態は、ネットワークにおいて移動局から通知を受信する方法を提供する。基地局マルチキャリア構成情報を含むマルチキャリア広告を送るとしてよい。基地局マルチキャリア構成情報は、基地局が動作する一のキャリア周波数に対応付けられている少なくとも１つのキャリアインデックスを含むとしてよい。
【００１０】
基地局は、マルチキャリア動作をサポートし得るので、複数のさまざまなキャリア周波数で複数の移動局との間で通信を行うとしてよい。米国電気電子学会（ＩＥＥＥ）８０２．１６ｍ規格および第３世代パートナーシップ・プロジェクト（３ＧＰＰ）ロングターム・エボリューション・アドバンスド（ＬＴＥ  ＡＤＶ）規格等の４Ｇ無線規格では、マルチキャリア動作によれば、サポートする帯域幅が大きくなり、システム容量に関するＩＭＴ−ＡＤＶ（Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ）仕様を満足し得る。ネットワーク内の各基地局は、複数の異なるキャリア周波数を利用するとしてよい。基地局は、これらに限定されないが、利用可能な技術および対象となる地域の市場の需要等の要因に応じて、複数の異なるキャリア周波数で構成されるとしてよい。
【００１１】
基地局が利用またはサポートする各キャリア周波数について詳細なブロードキャストを送ると、大量のオーバーヘッドを消費することになり、非常に複雑な処理となってしまう。本明細書で説明するさまざまな実施形態では、マルチキャリア無線ネットワークにおいてシステム情報を効率的にブロードキャストする方法を提供するとしてよい。本明細書で説明するさまざまな実施形態は、無線リンクオーバーヘッドを低減し、移動局を簡略化し、柔軟性を維持して、さまざまな配置のケースに対処するとしてよい。
【００１２】
実施形態は、１以上の構成要素を含むとしてよい。構成要素は、所定の処理を実行するべく配置される任意の構造を含むとしてよい。各構成要素は、所望の一連の構成パラメータまたは性能制約にしたがって、ハードウェア、ソフトウェア、または、これらの任意の組み合わせとして実現されるとしてよい。実施形態は一例として所定の構造を持つ特定の構成要素を持つものとして説明され得るが、実施形態は別の構造を持つ他の構成要素群を含むとしてよい。
【００１３】
「一実施形態」または「実施形態」という表現は当該実施形態に関連付けて説明した特定の特徴、構造または特性が少なくとも１つの実施形態に含まれることを意味することに留意されたい。本明細書では繰り返し「一実施形態によると」および「実施形態によると」といった表現が見られるが、必ずしも全てが同じ実施形態を指すものではない。
【００１４】
図１は、一実施形態に係るマルチキャリア無線ネットワーク通信システムの一例を示すブロック図である。さまざまな実施形態によると、通信システム１００は、複数のノードを備えるとしてよい。ノードは一般的に、通信システム１００において情報のやり取りを行う任意の物理エンティティまたは論理エンティティを含むとしてよく、所望の一連の構成パラメータまたは性能制約にしたがって、ハードウェア、ソフトウェア、または、これらの任意の組み合わせとして実現されるとしてよい。図１では一例として限られた数のノードを図示しているが、実施例によってはノードの数を増減させ得るものと認められる。
【００１５】
さまざまな実施形態によると、通信システム１００は、有線通信システム、無線通信システム、または、これらの組み合わせを備えるとしてもよいし、このようなシステムの一部を形成するとしてもよい。例えば、通信システム１００は、無線共有媒体１１５等の１以上の種類の無線通信リンクを介して、情報をやり取りするような構造を持つ１以上のノードを備えるとしてよい。無線通信リンクの例としては、これらに限定されないが、１以上の認可周波数帯域または認可不要周波数帯域で動作するワイヤレス・フィデリティ（ＷｉＦｉ）チャネルが挙げられるとしてよい。無線ノードは、１以上の無線インターフェースサブシステムおよび／または無線通信用の構成要素、例えば、１以上の無線通信機器、送信機、受信機、送受信機、チップセット、増幅器、フィルタ、制御ロジック、ネットワーク・インターフェース・カード（ＮＩＣ）、アンテナ、アンテナアレイ等を含むとしてよい。アンテナの例を挙げると、これらに限定されないが、内部アンテナ、全方向性アンテナ、モノポールアンテナ、ダイポールアンテナ、エンドフェッドアンテナ、円偏光アンテナ、マイクロストリップアンテナ、ダイバーシチアンテナ、デュアルアンテナ、アンテナアレイ等が含まれるとしてよい。一実施形態によると、特定のデバイスは、さまざまな適応型アンテナ技術および空間ダイバーシチ技術を実現するべく、複数のアンテナで構成されるアンテナアレイを複数有するとしてよい。
【００１６】
図１に図示した実施形態に示すように、通信システム１００は、基地局１０５および移動局１１０、１２０等の複数の構成要素を備える。基地局１０５で図示しているように、基地局１０５は、プロセッサ１３５、メモリユニット１４０、および、無線インターフェースサブシステム１４５を有するとしてよい。しかし、実施形態は図１に図示した構成要素に限定されない。
【００１７】
さまざまな実施形態によると、通信システム１００は、モバイルブロードバンド通信システムを含むとしてよく、または、モバイルブロードバンド通信システムとして実現されるとしてもよい。モバイルブロードバンド通信システムの例を挙げると、これらに限定されないが、さまざまな米国電気電子学会（ＩＥＥＥ）規格、例えば、ワイヤレス・ローカル・エリア・ネットワーク（ＷＬＡＮ）用のＩＥＥＥ８０２．１１規格およびその変形版、ワイヤレス・メトロポリタン・エリア・ネットワーク（ＷＭＡＮ）用のＩＥＥＥ８０２．１６規格およびその変形版、ならびに、ＩＥＥＥ８０２．２０規格またはモバイル・ブロードバンド・ワイヤレス・アクセス（ＭＢＷＡ）規格およびその変形版に準拠したシステムが含まれる。一実施形態によると、例えば、通信システム１００は、８０２．１１ｚＴＧｚタスクグループ、ＩＥＥＥ８０２．１１ｚ規格案に応じて実現されるとしてよい。
【００１８】
一実施形態によると、例えば、通信システム１００は、ワールドワイド・インターオペラビリティ・フォー・マイクロウェーブ・アクセス（ＷｉＭＡＸ）規格またはＷｉＭＡＸ  ＩＩ規格に準拠して実現されるとしてよい。ＷｉＭＡＸは、ＩＥＥＥ８０２．１６規格に基づく無線ブロードバンド技術である。ＩＥＥＥ８０２．１６規格のＩＥＥＥ８０２．１６−２００４およびＩＥＥＥ８０２．１６ｅの修正版（８０２．１６ｅ  Ｃまたは２／Ｄ３−２００５）は物理（ＰＨＹ）層仕様である。ＷｉＭＡＸ  ＩＩは、高度な第４世代（４Ｇ）システムであり、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ：国際移動通信）のアドバンスド（Ａｄｖａｎｃｅｄ）４Ｇシリーズの規格のためのＩＥＥＥ８０２．１６ｍおよびＩＥＥＥ８０２．１６ｊの規格案に基づく。一部の実施形態では、通信システム１００を一例としてＷｉＭＡＸまたはＷｉＭＡＸ  ＩＩに準拠したシステムまたは規格として説明するが、これに限定されることなく、通信システム１００は、さまざまな他の種類のモバイルブロードバンド通信のシステムおよび規格、例えば、ユニバーサル移動体通信システム（ＵＭＴＳ）システムシリーズの規格およびその変形版、符号分割多重アクセス（ＣＤＭＡ）２０００システムシリーズの規格およびその変形版（例えば、ＣＤＭＡ２０００  １×ＲＴＴ、ＣＤＭＡ２０００  ＥＶ−ＤＯ、ＣＤＭＡ  ＥＶ−ＤＶ等）、欧州電気通信標準化機構（ＥＴＳＩ）が作成した高機能無線メトロポリタンエリアネットワーク（ＨＩＰＥＲＭＡＮ）システムシリーズの規格、ブロードバンドラジオアクセスネットワーク（ＢＲＡＮ）およびその変形版、無線ブロードバンド（ＷｉＢｒｏ）システムシリーズの規格および変形版、ジェネラル・パケット・ラジオ・サービス（ＧＰＲＳ）システムを含むグローバル・システム・フォー・モバイル・コミュニケーションズ（ＧＳＭ：登録商標）（ＧＳＭ（登録商標）／ＧＰＲＳ）シリーズの規格およびその変形版、エンハンスド・データ・レート・フォー・グローバル・エボリューション（ＥＤＧＥ）システムシリーズの規格およびその変形版、高速ダウンリンクパケットアクセス（ＨＳＤＰＡ）システムシリーズの規格および変形版、高速直交周波数分割多重化（ＯＦＤＭ）パケットアクセス（ＨＳＯＰＡ）システムシリーズの規格およびその変形版、高速アップリンクパケットアクセス（ＨＳＵＰＡ）システムシリーズの規格および変形版、第３世代パートナーシップ・プロジェクト（３ＧＰＰ）のＲｅｌ．８および９のロング・ターム・エボリューション（ＬＴＥ）／システム・アーキテクチャ・エボリューション（ＳＡＥ）等として実現され得るものと考えられるとしてよい。実施形態はこれらに限定されない。
【００１９】
さまざまな実施形態によると、通信システム１００は、無線機能を持つ移動局１１０、１２０を備えるとしてよい。移動局１１０、１２０は、他の移動局または基地局（例えば、基地局１０５）等、他の無線デバイスへの接続機能を実現する汎用機器群を有するとしてよい。移動局１１０、１２０の例としては、これらに限定されないが、コンピュータ、サーバ、ワークステーション、ノート型コンピュータ、手持ちコンピュータ、電話、携帯電話、携帯情報端末（ＰＤＡ）、携帯電話およびＰＤＡの混合デバイス等が含まれるとしてよい。一実施形態によると、例えば、移動局１１０、１２０はＷＭＡＮ用の携帯可能加入局（ＭＳＳ）として実現されるとしてよい。一部の実施形態は一例として移動局１１０、１２０がＭＳＳとして実現させるものとして説明されるが、他の実施形態は他の無線機器を同様に利用して実現され得るものと考えられ得る。実施形態は、これに限定されない。
【００２０】
さまざまな実施形態によると、通信システム１００は、無線機能を持つ基地局１０５を備えるとしてよい。基地局１０５は、１以上の移動局１１０、１２０等、別の無線デバイスに対する接続を実現し、および／または、情報を提供する汎用機器群を有するとしてよい。基地局１０５の例を挙げると、これらに限定されないが、無線アクセスポイント（ＡＰ）、基地局またはノードＢ、ルータ、スイッチ、ハブおよび／またはゲートウェイが含まれるとしてよい。一実施形態によると、基地局１０５は、同じネットワーク内に配設されている上記のようなデバイスのうち２以上を含むとしてよい。例えば、基地局１０５は同じプロバイダネットワークに設けられている２つのアクセスポイントを含むとしてよい。２つのアクセスポイントは、サービスセット識別子（ＳＳＩＤ）が同じであるとしてよい。一部の実施形態は一例として基地局１０５がアクセスポイントとして実現されるものとして説明するが、他の実施形態は他の無線機器を同様に利用して実現されるものと考えられ得る。実施形態はこれに限定されない。
【００２１】
基地局１０５は、プロセッサ１３５、メモリユニット１４０、および、無線インターフェースサブシステム１４５を有するとしてよい。プロセッサ１３５は、複合命令セットコンピュータ（ＣＩＳＣ）マイクロプロセッサ、縮小命令セットコンピュータ（ＲＩＳＣ）マイクロプロセッサ、超長命令語（ＶＬＩＷ）マイクロプロセッサ、複数の命令セットの組み合わせを実装するプロセッサ、または、その他のプロセッサデバイス等、任意のプロセッサとして実現されるとしてよい。一実施形態によると、例えば、プロセッサ１３５は、Ｉｎｔｅｌ（登録商標）Ｃｏｒｐｏｒａｔｉｏｎ（米国、カリフォルニア州、サンタクラーラ）社製のプロセッサ等、汎用プロセッサとして実現されるとしてよい。プロセッサ１３５は、コントローラ、マイクロコントローラ、混載プロセッサ、デジタルシグナルプロセッサ（ＤＳＰ）、ネットワークプロセッサ、媒体プロセッサ、入出力（Ｉ／Ｏ）プロセッサ等の専用プロセッサとして実現されるとしてもよい。実施形態はこれに限定されない。
【００２２】
さらに基地局１０５で図示するように、基地局１０５はメモリユニット１４０を有するとしてよい。メモリ１４０は、データを格納可能な任意の機械可読媒体またはコンピュータ可読媒体を含むとしてよく、揮発性メモリおよび不揮発性メモリを含む。例えば、メモリ１４０は、リードオンリーメモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラム可能ＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、フラッシュメモリ、強誘電体ポリマーメモリ等のポリマーメモリ、オボニック（ｏｖｏｎｉｃ）メモリ、相変化メモリまたは強誘電体メモリ、シリコン−酸化物−窒化物−酸化物−シリコン（ＳＯＮＯＳ）メモリ、磁気カードまたは光カード、または、情報を格納するのに適した任意のその他の種類の媒体を含むとしてよい。メモリ１４０の一部または全てはプロセッサ１３５と同じ集積回路上に集積化されるとしてよいか、またはこれに代えて、メモリ１４０の一部または全ては、プロセッサ１３５の集積回路の外部にある、例えば、ハードディスクドライブ等の一の集積回路または他の媒体上に配設されているとしてよいことに留意されたい。一実施形態によると、メモリはプロセッサを動作させるためのデータおよび命令を含むとしてよい。実施形態はこれに限定されない。
【００２３】
さまざまな実施形態によると、基地局１０５は、無線インターフェースサブシステム１４５を介して、無線共有媒体１１５で情報をやり取りするとしてよい。無線共有媒体１１５では、ＲＦスペクトルを１以上に分けて割り当てるとしてよい。ＲＦスペクトルの割り当ては、連続して割り当てるとしてもよいし、または、不連続に割り当てるとしてもよい。一部の実施形態によると、無線インターフェースサブシステム１４５は、例えば、ＷｉＭＡＸまたはＷｉＭＡＸ  ＩＩのシステムまたはＷＬＡＮシステムで利用されるようなさまざまなマルチキャリア技術を利用して無線共有媒体１１５で情報をやり取りするとしてよい。例えば、無線インターフェースサブシステム１４５は、さまざまな多入力多出力（ＭＩＭＯ）技術を利用するとしてよい。
【００２４】
一実施形態によると、移動局１１０は、マルチキャリア構成情報および構成バージョン番号を、さまざまな異なる方法で取得するとしてよい。一実施形態によると、移動局は、移動局１１０が最初にネットワークに入る際に、基地局１０５から、事前プロビジョニング処理、オーバー・ザ・エア・プロビジョニング処理、または、ユニキャスト処理のいずれかで、ネットワークマルチキャリア確認情報およびそれに対応付けられているオペレータ識別情報を格納するとしてよい。一実施形態によると、プロビジョニングは、オペレータが移動局を販売する前に移動局１１０内のハードウェアをプログラミングする際に実行されるとしてよい。例えば、これに限定されないが、携帯電話等の移動局１１０は、購入前に内部にプログラミングされているハードウェアを持つとしてよい。
【００２５】
一実施形態によると、ユニキャスト処理は、移動局１１０が最初にオンに制御されてネットワークに入る際に実行される処理であるとしてよい。ネットワーク内の基地局１０５は、移動局１１０の現在バージョン番号を判断するとしてよい。基地局１０５は、移動局１１０のバージョン番号を受信するとしてよい。移動局１１０のバージョン番号が基地局１０５のバージョンと異なる場合、基地局１０５は、移動局１１０に格納されている古いバージョンを上書きするための更新情報を含むユニキャスト応答を移動局１１０に送るとしてよい。
【００２６】
一実施形態によると、オーバー・ザ・エア・プロビジョニング処理は、基地局１０５が更新メッセージを移動局１１０に送る際に実行される処理であってよい。移動局１１０は、ネットワークに入って、バージョン番号を更新および確認して、基地局１０５のバージョン番号と一致させるとしてよい。移動局１１０のバージョン番号が基地局１０５のバージョンと異なる場合には、基地局１０５は、移動局１１０に格納されている古いバージョンを上書きするための更新情報を含む応答を移動局１１０に送るとしてよい。
【００２７】
上述した方法のいずれによっても移動局１１０は基地局１０５と通信可能であるが、上記の方法は、基地局１０５が長期間にわたって静止しており同一オペレータネットワークにおいて一貫している場合で用いられるように構成されている。基地局１０５は、複数のキャリアを持ち、周波数を動的に変更するのが通常であるので、数多くの配置方法を可能とするのに十分な柔軟性を維持しつつも無線リンクオーバーヘッドを低減すると共に移動局１１０、１２０を簡略化するような、新しい移動局１１０、１２０との通信方法が提供されるとしてよい。
【００２８】
一実施形態によると、基地局１０５は、マルチキャリア広告等のマルチキャリア構成情報をブロードキャストして、接続されている移動局１１０の全て、および、セル内に入る移動局１２０がいずれも、最新情報を無線で取得するようにするとしてよい。一実施形態によると、ブロードキャストマルチキャリア広告は、プロビジョニング処理、オーバー・ザ・エア・プロビジョニング処理、および／または、ユニキャスト処理に準拠したバージョン番号を含むとしてよい。
【００２９】
図２は、一実施形態に係るマルチキャリア広告の一例を示す図である。マルチキャリア広告２００は、構成バージョン番号２１０を含む。構成バージョン番号２１０は、プロビジョニング処理、オーバー・ザ・エア・プロビジョニング処理、および、ユニキャスト処理で説明するように、ネットワーク構成の番号である。構成バージョン番号２１０は、移動局が持っている情報が更新済みであることを確認するために用いられるとしてよい。
【００３０】
一実施形態によると、基地局は、マルチキャリア広告２００を送るとしてよく、基地局マルチキャリア構成情報２２０をダウンリンク制御に組み込むとしてよい。一実施形態によると、基地局マルチキャリア構成情報２２０に含まれる情報は、基地局がマルチキャリア広告の形式およびブロードキャストスケジュールの両方における柔軟性を維持しつつも可能な限り小サイズ且つ簡略にして、マルチキャリア広告２００が消費する帯域幅を比較的小規模にとどめるようにするとしてよい。一実施形態によると、後方互換性を保証し、複雑性を低減するべく、各キャリアは、ＭＡＣ処理に対応付けられている４８ビットの基地局識別情報を持つとしてよい。
【００３１】
マルチキャリア広告２００は、基地局マルチキャリア構成情報２２０を含むとしてよい。基地局マルチキャリア構成情報２２０は、キャリアインデックス２２５、プリアンブルインデックス２３０、基地局識別情報２３５、ＭＡＣプロトコル２４０、および、その他の基地局情報を含むとしてよい。一実施形態によると、基地局マルチキャリア構成情報２２０は、これらに限定されないが、送信電力およびランダムアクセス機会情報を含むとしてよい。
【００３２】
各キャリアインデックス２２５について、マルチキャリアインデックスまたは構成パラメータが提供されるとしてよい。また、先頭周波数割り当てインデックスは、キャリア群のうち第１のキャリアの周波数を示すとしてよい。キャリアインデックスはさらに、特定のキャリアインデックス内のキャリア数を示すとしてよい。例えば、周波数２．４ＧＨｚのキャリアインデックスは、帯域内に２つのキャリアを含むとしてよく、周波数７００ＭＨｚのキャリアインデックスは、帯域内に４つのキャリアを含むとしてよい。以下の実施形態で説明するが、「キャリア周波数」は、特定の周波数帯域に含まれる全てのキャリアを意味する。
【００３３】
基地局マルチキャリア構成情報２２０は、基地局が利用または操作する１以上のキャリアインデックス２２５を含むとしてよい。一実施形態によると、基地局が内部に位置しているネットワークは、１０個のキャリア周波数を含むとしてよい。しかし、基地局は、１０個のキャリア周波数のうち２つのみを利用するとしてよい。したがって、基地局マルチキャリア構成情報２２０は、基地局が操作または利用するキャリア周波数として２というキャリアインデックス２２５を持つ。
【００３４】
一実施形態によると、グローバルネットワーク構成情報を判断するとしてよい。グローバルネットワーク構成情報は、帯域内の各キャリアに対応付けられているパラメータを含むとしてよい。例えば、ネットワークは、ＦＣＣの時分割４Ｇ技術で要件とされているように、２．４ＧＨｚ帯域にＷｉＭＡＸを配置するとしてよい。ネットワークは、２．４ＧＨｚ帯域内の複数のキャリアがそれぞれ１０ＭＨｚになるように構成されている基地局を含むとしてよい。一実施形態によると、この帯域には１０個のキャリアを形成するとしてよい。ネットワークは、各キャリアに言及する場合、キャリアインデックスおよび対応付けられているキャリア固有パラメータを利用するとしてよい。この帯域では１０個のキャリアを形成するので、キャリアインデックスは１０個あるとしてよい。各キャリアは、キャリアインデックスおよび対応付けられているキャリア固有パラメータを含み、グローバルネットワーク構成情報で定義されているとしてよく、マルチキャリア広告２００、３００および／または近隣基地局広告４００に組み込まれるとしてよい。
【００３５】
基地局マルチキャリア構成情報２２０は、基地局に対応付けられているキャリア周波数のそれぞれについてのキャリアインデックス２２５を含むとしてよい。キャリアインデックス２２５は、キャリア周波数を特定するための１以上の数、文字、シンボルまたはその他の簡略表現形態であってよい。一実施形態によると、移動局は、ネットワークマルチキャリア構成情報をさらに含むマルチキャリア広告によって、キャリア周波数の構成情報を取得するとしてよい。ネットワークマルチキャリア構成情報がネットワーク内のキャリアについての詳細な構成情報を全て含む情報である一方、基地局マルチキャリア構成情報２２０は、基地局が利用する特定のキャリア周波数を特定する１以上のキャリアインデックス２２５を含む情報であるとしてよい。
【００３６】
図３は、一実施形態に係るネットワークマルチキャリア構成情報を含むマルチキャリア広告の一例を示す図である。図３は、基地局マルチキャリア構成情報およびネットワークマルチキャリア構成情報３１０の両方を含むマルチキャリア広告３００を示す。一実施形態によると、ネットワークマルチキャリア構成情報３１０は、マルチキャリア構成情報ブロードキャストフラグ２１５が１に設定されている場合には、マルチキャリア広告にのみ組み込まれるとしてよい。一実施形態によると、ネットワークマルチキャリア構成情報３１０は、マルチキャリア広告３００毎には提供されない。マルチキャリア構成情報ブロードキャストフラグ２１５は、ブロードキャストをより柔軟にするために、および／または、消費する帯域幅を低減するために、（図２に示すように）ゼロに設定されて、ネットワークマルチキャリア構成情報３１０を含まないとしてよい。
【００３７】
一実施形態によると、マルチキャリア構成情報ブロードキャストフラグ２１５は、しきい値に到達した後に、１に設定されるとしてよく、および／または、ネットワークマルチキャリア構成情報３１０をマルチキャリア広告３００に含めるとしてよい。一実施形態によると、しきい値は、ネットワークマルチキャリア構成情報を含むことなくマルチキャリア広告が送信された回数に基づいて決まるとしてよい。例えば、ネットワークマルチキャリア構成情報３１０は、ネットワークマルチキャリア構成情報を含むことなくマルチキャリア広告３００が送信された回数が１０回目となった後に、組み込まれるとしてよい。例えば、ネットワークマルチキャリア構成情報３１０は、ネットワークマルチキャリア構成情報を含むことなくマルチキャリア広告３００が送信された回数が５０回目となった後に、組み込まれるとしてよい。例えば、ネットワークマルチキャリア構成情報３１０は、ネットワークマルチキャリア構成情報を含むことなくマルチキャリア広告３００が送信された回数が１００回目となった後に、組み込まれるとしてよい。一実施形態によると、しきい値は、経過時間に基づいて決まるとしてよい。例えば、基地局広告は、ネットワークマルチキャリア構成情報を含むことなく１−５分毎に送られるとしてよく、ネットワークマルチキャリア構成情報３１０は、１０−２０分毎に基地局広告に組み込まれるとしてよい。
【００３８】
基地局が用いる少なくとも１つのキャリアインデックス２２５を含むのみである基地局マルチキャリア構成情報２２０とは異なり、ネットワークマルチキャリア構成情報３１０は、ネットワーク内のさまざまなキャリア周波数のそれぞれについての詳細なネットワーク構成情報を全て含み得る。一実施形態によると、ネットワークマルチキャリア構成情報は、これらに限定されないが、キャリアインデックス３１５、キャリア周波数３２０、帯域幅３２５および／またはデュプレックスモード３４０等のキャリア固有パラメータを含むとしてよい。一実施形態によると、ネットワークマルチキャリア確認情報が含むパラメータは、これより多くても少なくともよい。一実施形態によると、キャリアインデックスは、グローバルネットワーク構成情報によって定義されるとしてよい。一実施形態によると、対応付けられているキャリア固有パラメータは、これらに限定されないが、キャリア周波数３２０、帯域幅３２５、および／または、デュプレックスモード３４０等であり、グローバルネットワーク構成情報によって定義されるとしてよい。
【００３９】
ネットワークマルチキャリア構成情報は、ネットワーク内の各キャリア周波数についてキャリアインデックス３１５を含むとしてよい。図２および図３に示すように、ネットワークマルチキャリア構成情報３１０に含まれているキャリアインデックス３１０は、基地局マルチキャリア構成情報２２０に含まれているキャリアインデックス２２５に対応するとしてよい。基地局マルチキャリア構成情報２２０で提供されるキャリアインデックス２２５に基づき、移動局は、ネットワークマルチキャリア構成情報３１０に含まれるキャリアインデックス３１５に対応付けられている特定のキャリア周波数についての詳細な構成情報を取得することができる。各キャリアインデックス３１５と共に、キャリア周波数３２０が含まれる。キャリア周波数は、これに限定されないが、２．４ＧＨｚ、２．５ＧＨｚおよび／または７００ＭＨｚであるとしてよい。
【００４０】
一実施形態によると、移動局は、マルチキャリア広告３００に含まれるネットワークマルチキャリア構成情報３１０で提供される情報を必要としない場合がある。一実施形態によると、移動局は、キャリアインデックス３１５に関する構成情報を既に前のブロードキャストで受信しているので、ネットワークマルチキャリア構成情報３１０に含まれる情報を必要としない場合がある。一実施形態によると、移動局は、事前プロビジョニング処理、ユニキャスト処理、および／または、オーバー・ザ・エア・プロビジョニングにおいて、全てのキャリア構成情報を受信しているので、ネットワークマルチキャリア構成情報３１０に含まれている情報を必要としない場合がある。
【００４１】
図４は、一実施形態に係る近隣基地局広告の一例を示す図である。近隣基地局広告は、基地局と現在やり取りしている移動局に、近隣の基地局が利用しているキャリア周波数について認識させるために用いられる広告であるとしてよい。移動局は、今後のハンドオーバーのために近隣の基地局を検索するとしてよい。移動局は、どの近隣の基地局が特定のキャリア周波数を操作しているかを判断するとしてよい。一実施形態によると、近隣基地局広告４００は、キャリアインデックス４２５、ＭＡＣプロトコル４３０、セルの種類４３５、および／または、移動局が用いる他の情報を含むとしてよい。一実施形態によると、キャリアインデックス４２５は、図２および図３に示すように、基地局マルチキャリア構成情報２２０およびネットワークマルチキャリア構成情報３１０において、同じキャリアインデックス４２５を指すとしてよい。一実施形態によると、近隣基地局マルチキャリア広告４００は、近隣基地局が操作するキャリアインデックス４２５を含むとしてよい。近隣基地局広告４００は、キャリアインデックス４２５を用いることによって、提供する必要があるのはキャリアインデックスのみとなり、キャリア周波数構成情報を含む必要がなくなるので、オーバーヘッドを低減し得ると共に、効率化を実現し得る。一実施形態によると、ＭＡＣプロトコル４３０は、ＩＥＥＥ８０２．１６ｍの基地局、ＩＥＥＥ８０２．１６ｅの基地局、および／または、ＩＥＥＥ８０２．１６ｅ／１６ｍ混合モードの基地局を含むとしてよい。一実施形態によると、セルの種類４３５は、マクロセル／ピコセルといったセルの種類、および／または、公共セル／私用セルといったセルの種類を含むとしてよい。
【００４２】
図５は、一実施形態に係る論理図の一例を示す図である。論理フロー５００は、所望の一連の構成パラメータまたは性能制約にしたがって、さまざまなシステムおよび／またはデバイスによって実行されるとしてよく、ハードウェア、ソフトウェア、ファームウェアおよび／またはこれらの任意の組み合わせとして実現されるとしてよい。例えば、論理フロー５００のうち１以上の処理は、論理デバイス（例えば、コンピュータ、プロセッサ）で実行される実行可能プログラミング命令または実行可能コンピュータ可読命令によって実現されるとしてよい。論理フロー５００は、システム１００を参照しつつ上述した特徴を記述しているフローであるとしてよい。
【００４３】
一実施形態によると、ブロック５０２において、基地局がネットワーク内の移動局から通知を受信するとしてよい。ある実施形態によると、通知は、移動局がネットワークに入る際に受信されるとしてよい。ブロック５０５において、基地局は、事前プロビジョニング処理、オーバー・ザ・エア・プロビジョニング処理、および／または、ユニキャスト処理のうち１以上によって、マルチキャリア構成情報および構成バージョン番号を移動局に送るとしてよい。
【００４４】
ある実施形態によると、マルチキャリア広告は、ネットワークを介して移動局と通信を行うべく、基地局によって生成されるとしてよい。ブロック５１０において、基地局は、基地局マルチキャリア構成情報を含むマルチキャリア広告を送るとしてよい。一実施形態によると、基地局マルチキャリア構成情報は、少なくとも１つのキャリアインデックスを含むとしてよい。一実施形態によると、基地局が利用しているこの少なくとも１つのキャリアインデックスは、ネットワーク内のキャリアインデックスのうちの１つ、一部または全てを含むとしてよい。一実施形態によると、マルチキャリア広告に含まれているキャリアインデックスは、基地局が利用しているキャリア周波数の１以上のキャリアインデックスである。
【００４５】
一実施形態によると、ダイヤモンド５１５において、基地局はしきい値を超えたか否かを判断するとしてよい。ブロック５２０において、マルチキャリア広告がしきい値を超えた後、ブロードキャストフラグをイネーブルするとしてよい。ブロック５２０においてブロードキャストフラグがイネーブルされると、ブロック５２５において、基地局は、マルチキャリア広告に含めてネットワークマルチキャリア構成情報を送信するとしてよい。ネットワークマルチキャリア構成情報は、ネットワーク内の全てのキャリアインデックスについての構成情報を含むとしてよい。
【００４６】
一実施形態によると、基地局は、現在の移動局に対してマルチキャリア広告を送ることに加えて、ブロック５３０において、今後やり取りを行う可能性がある移動局に対して近隣基地局広告を送るとしてよい。一実施形態によると、近隣基地局広告は、近隣の基地局と現在通信を行っている移動局に送信されるとしてよい。一実施形態によると、ブロック５３０において、基地局は、基地局がサポートおよび／または操作する少なくとも１つのキャリアインデックスを含む近隣基地局広告を送るとしてよい。
【００４７】
図５を参照すると、一部の実施形態では、論理フロー５００は複数のタスクを並行して実行するように実現または構成されるとしてよく、複数のスレッドの処理および複数のコアの制御を略同時に実行することを含むものと理解されたい。また、論理フロー５００は論理フローの一例に過ぎず、論理フロー５００に含まれるものとして説明した処理の数、順序および／または構成は変更し得るものであり、変更後も本明細書に記載する実施形態に含まれるものであることも理解されたい。他の実施形態も記載および請求する。
【００４８】
図６は、実施形態に係るシステムの一例を示す図である。具体的には、図６は、さまざまな構成要素を備えるシステム６００を示す図である。例えば、図６は、プロセッサ６０２、チップセット６０４．入出力（Ｉ／Ｏ）デバイス６０６、ランダムアクセスメモリ（ＲＡＭ）（例えば、ダイナミックＲＡＭ（ＤＲＡＭ））６０８、および、リードオンリーメモリ（ＲＯＭ）６１０、および、さまざまなプラットフォーム素子６１４（例えば、ファン、直交流供給部、ヒートシンク、ＤＴＭシステム、冷却システム、筐体、排気孔等）を備えるシステム６００を示す。このような構成要素は、ハードウェア、ソフトウェア、ファームウェア、または、これらの任意の組み合わせとして実現されるとしてよい。しかし、実施形態はこのような構成要素に限定されない。
【００４９】
図６に示すように、Ｉ／Ｏデバイス６０６、ＲＡＭ６０８およびＲＯＭ６１０は、チップセット６０４によってプロセッサ６０２に結合されている。チップセット６０４は、バス６１２によってプロセッサ６０２に結合されているとしてよい。したがって、バス６１２は複数のラインを有するとしてよい。
【００５０】
プロセッサ６０２は、１以上のプロセッサコアを有する中央演算処理装置であってよく、任意の数のプロセッサコアを持つプロセッサを任意の数有するとしてよい。プロセッサ６０２は、任意の種類のプロセッシングユニット、例えば、中央演算処理装置（ＣＰＵ）、マルチプロセッシングユニット、縮小命令セットコンピュータ（ＲＩＳＣ）、パイプラインを持つプロセッサ、複合命令セットコンピュータ（ＣＩＳＣ）、デジタルシグナルプロセッサ（ＤＳＰ）等を含むとしてよい。
【００５１】
図示していないが、システム４００は、さまざまなインターフェース回路、例えば、イーサネット（登録商標）インターフェースおよび／またはユニバーサルシリアルバス（ＵＳＢ）インターフェース等を備えるとしてよい。一部の実施形態例によると、Ｉ／Ｏデバイス６０６は、データおよびコマンドをシステム６００に入力するべくインターフェース回路に接続されている１以上の入力デバイスを含むとしてよい。例えば、入力デバイスは、キーボード、マウス、タッチスクリーン、トラックパッド、トラックボール、イソポイント（ｉｓｏｐｏｉｎｔ）、音声認識システム等を含むとしてよい。同様に、Ｉ／Ｏデバイス６０６は、オペレータに情報を出力するべく、インターフェース回路に接続されている１以上の出力デバイスを含むとしてよい。例えば、出力デバイスは、要望に応じて、１以上のディスプレイ、プリンタ、スピーカおよび／またはその他の出力デバイスを含むとしてよい。例えば、出力デバイスのうち１つは、ディスプレイであってよい。ディスプレイは、陰極線管（ＣＲＴ）方式のディスプレイ、液晶ディスプレイ（ＬＣＤ）またはその他の任意の種類のディスプレイであってよい。
【００５２】
システム６００はさらに、ネットワークへの接続によって、他のデバイスとの間でデータをやり取りするための有線ネットワークインターフェースまたは無線ネットワークインターフェースを備えるとしてよい。ネットワーク接続は、任意の種類のネットワーク接続であってよく、例えば、イーサネット（登録商標）接続、デジタル加入者回線（ＤＳＬ）、電話回線、同軸ケーブル等であってよい。ネットワークは、任意の種類のネットワークであってよく、例えば、インターネット、電話回線ネットワーク、ケーブルネットワーク、無線ネットワーク、パケット交換方式ネットワーク、回路交換方式ネットワーク等であってよい。
【００５３】
本明細書では、実施形態を完全に理解していただくべく、数多く具体的且つ詳細な内容を説明してきた。しかし、当業者であれば、実施形態は記載した具体的且つ詳細な内容の通りでなくとも実施可能であると理解されたい。また、公知の処理、構成要素および回路は、実施形態をあいまいにすることを避けるべく詳細な説明を省略した。本明細書に開示した具体的な構造および機能に関する詳細な説明は代表的なものであり実施形態の範囲を必ずしも限定するものではないと認められたい。
【００５４】
さまざまな実施形態は、ハードウェア素子、ソフトウェア素子、または、両素子を組み合わせて実現されるとしてよい。ハードウェア素子の例を挙げると、プロセッサ、マイクロプロセッサ、回路、回路素子（例えば、トランジスタ、抵抗器、キャパシタ、インダクタ等）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、ロジックゲート、レジスタ、半導体デバイス、チップ、マイクロチップ、チップセット等が含まれるとしてよい。ソフトウェアの例を挙げると、ソフトウェア素子、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーチン、サブルーチン、関数、方法、手順、ソフトウェアインターフェース、アプリケーションプログラムインターフェース（ＡＰＩ）、命令セット、コンピューティングコード、コンピュータコード、コードセグメント、コンピュータコードセグメント、ワード、値、シンボル、または、これらの任意の組み合わせが含まれるとしてよい。ハードウェア素子および／またはソフトウェア素子を用いて実施形態を実現するか否かの判断は、任意の数の要因、例えば、所望の計算速度、電力レベル、耐熱性、処理サイクルバジェット、入力データ速度、出力データ速度、メモリリソース、データバス速度、および、その他の構成上または性能上の制約に応じて変わるとしてよい。
【００５５】
一部の実施形態では、「結合」および「接続」といった用語を用いて説明している場合がある。「結合」および「接続」は、同義語として用いているわけではない。例えば、一部の実施形態は、２以上の構成要素が直接、物理的または電気的に接触している状態を意味する際に「接続」および／または「結合」という用語を用いて説明している場合がある。しかし、「結合」という用語は、２以上の構成要素が直接接触していないものの互いに協働または相互作用する状態を意味する場合がある。
【００５６】
一部の実施形態は、例えば、命令、命令群またはコンピュータ実行可能コードを格納する機械またはコンピュータによる読み取りが可能な媒体または物品を用いて実現されるとしてよい。上記の命令、命令群またはコンピュータ実行可能コードは、機械またはプロセッサで実行されると、当該機械またはプロセッサに本実施形態に係る方法および／または処理を実行させるとしてよい。このような機械としては、例えば、任意の適切な処理プラットフォーム、コンピューティングプラットフォーム、コンピューティングデバイス、処理デバイス、コンピューティングシステム、処理システム、コンピュータ、プロセッサ等が挙げられるとしてよく、ハードウェアおよび／またはソフトウェアを適切に組み合わせることで実現されるとしてよい。機械で読み取り可能な媒体または物品としては、例えば、任意の適切な種類のメモリユニット、メモリデバイス、メモリ物品、メモリ媒体、格納装置、格納物品、格納媒体および／または格納ユニットが挙げられるとしてよい。例えば、メモリ、取り外しが可能または不可能な媒体、揮発性または不揮発性のメモリまたは媒体、消去が可能または不可能な媒体、書き込みまたは書き換えが可能な媒体、デジタル媒体またはアナログ媒体、ハードディスク、フロッピー（登録商標）ディスク、コンパクトディスクリードオンリーメモリ（ＣＤ−ＲＯＭ）、コンパクトディスクリコーダブル（ＣＤ−Ｒ）、コンパクトディスクリライタブル（ＣＤ−ＲＷ）、光ディスク、磁気媒体、光磁気媒体、取り外し可能なメモリカードまたはメモリディスク、さまざまな種類のデジタルバーサティルディスク（ＤＶＤ）、テープ、カセット等が挙げられるとしてよい。命令は、例えば、ソースコード、コンパイラコード、インタプリタコード、実行可能コード、静的コード、動的コード、暗号化コード等、任意の適切な種類のコードを含むとしてよく、これらのコードは、任意の適切な高級プログラミング言語、低級プログラミング言語、オブジェクト指向型プログラミング言語、ビジュアルプログラミング言語、コンパイル型プログラミング言語および／またはインタプリタ型プログラミング言語で実現される。
【００５７】
特に明記していない限り、「処理」、「算出」、「計算」、「決定」等の用語は、コンピューティングシステムのレジスタおよび／またはメモリに存在する物理量（例えば、電子量）で表現されるデータを操作および／または変換して、同様に物理量として表現され、コンピューティングシステムのメモリ、レジスタ等の情報を格納、送信または表示するデバイスに存在する他のデータを生成するコンピュータあるいはコンピューティングシステム、または、同様の電子コンピューティングデバイスの動作および／または処理を意味するものと認められるとしてよい。実施形態はこれに限定されない。
【００５８】
本明細書に記載した方法は記載した順序または任意の特定の順序で実行する必要はないことに留意されたい。さらに、本明細書で特定する方法に関するさまざまな動作は、シリアルまたはパラレルに実行することができる。
【００５９】
本明細書では具体的な実施形態を図示および説明してきたが、同じ目的を実現するべく計算された任意の構成で図示した具体的な実施形態を置換し得るものと認められたい。このような開示内容は、さまざまな実施形態の適応例または変形例をいずれも全て含むものとする。上述した説明は例示のためであり限定を目的としたものではないと理解されたい。上述した実施形態を組み合わせること、および、他の実施形態は、本明細書において具体的に説明していないが、上記の説明を参照することで当業者には明らかであろう。このため、さまざまな実施形態の範囲は、上述した組成、構造および方法を利用する任意のその他の用途も含むものとする。
【００６０】
要約書は、本技術的開示内容の本質を即座に把握できるように要約を求める米国特許法施行規則セクション１．７２（ｂ）に準拠して提供されたものであることを強調しておく。要約書は、請求項の範囲または意味を解釈または限定するようには利用されないという理解の下で提出している。また、上記の明細書からは、開示内容を読みやすくするためにさまざまな特徴を一まとめにして１つの実施形態としていることが分かる。このような開示方法を採用しているが、請求の対象となる実施形態が各請求項で明示的に記載しているものより多くの特徴を必要とする意図を反映したものと解釈されるべきではない。そうではなく、請求項では、開示している一の実施形態の全ての特徴より少ない数の特徴に発明の主題があることを意味している。このため、請求項は明細書に組み込まれ、各請求項は別個の好ましい実施形態として成立する。請求項では、「ｃｏｍｐｒｉｓｉｎｇ」および「ｗｈｅｒｅｉｎ」という表現を、「ｉｎｃｌｕｄｉｎｇ」および「ｉｎ  ｗｈｉｃｈ」という簡単な英語で言い換えている。また、「第１」、「第２」および「第３」等の用語は、区別するための表記として用いられているに過ぎず、その目的語に数的な要件を課すものではない。
【００６１】
構造上の特徴および／または方法的な動作に特有の用語を用いて主題を説明してきたが、請求項で定義する主題は必ずしも上述の具体的な特徴または動作に限定されるものではないと理解されたい。そうではなく、上述した具体的な特徴または動作は請求項を実現する一例として開示されているものである。
【図１】
0005382480.tif 000002
【図２】
0005382480.tif 000003
【図３】
0005382480.tif 000004
【図４】
0005382480.tif 000005
【図５】
0005382480.tif 000006
【図６】
0005382480.tif 000007